(57)【要約】【課題】ダンパとリテーナとの間の隙間を通過する空気に起因した異音をより確実に抑制できるレジスタを提供すること。【解決手段】リテーナ１１の上側壁４３の内壁４３Ａには、ダンパ１９を閉じた状態において下流側外周部６７の位置に比べて下流側に位置する複数のリブ部１１１が形成される。複数のリブ部１１１は、ダンパ１９の回動軸と平行な方向に並んで配置され、隣り合うリブ部１１１が異なる形状で形成される。また、軟質シール部材７５は、下流側外周部６７の上面６９に複数の上側突出部８３を有する。【選択図】図３０
2020006713.tif 000002
【特許請求の範囲】
【請求項１】
筒状をなし通風方向に空気を流す通風路を有するリテーナと、
前記リテーナ内に設けられ、前記リテーナに回動可能に支持され、回動にともなって前記通風路を開閉するダンパと、
を備え、
前記ダンパは、
平板状に形成されたプレート部材と、
回動軸を中心に前記プレート部材を前記リテーナに対して回動可能に支持する軸部と、
前記プレート部材の外周部に設けられた軟質シール部材と、
を有し、
前記リテーナは、
前記ダンパを閉じた状態において、前記通風方向における前記プレート部材の下流側の外周部である下流側外周部に設けられた前記軟質シール部材と弾性接触する内壁を有し、
前記内壁には、
前記ダンパを閉じた状態において前記下流側外周部の位置に比べて下流側に位置する複数のリブ部が形成され、
前記複数のリブ部は、
前記回動軸と平行な方向に並んで配置され、隣り合うリブ部が異なる形状で形成され、
前記軟質シール部材は、
前記下流側外周部であって、且つ前記通風方向に沿って前記ダンパを配置した場合に前記複数のリブ部と対向する側の面に複数の突出部を有する、レジスタ。
【請求項２】
前記複数のリブ部は、
第１リブ部と、
前記第１リブ部の隣りに配置される第２リブ部と、
を含み、
前記第１リブ部は、
前記内壁に直交する高さ方向に沿った高さが、前記第２リブ部と同一であり、
前記通風方向に沿った長さが、前記第２リブ部に比べて長い、請求項１に記載のレジスタ。
【請求項３】
前記複数のリブ部は、
第１リブ部と、
前記第１リブ部の隣りに配置される第２リブ部と、
を含み、
前記第１リブ部は、
前記通風方向に沿った長さが、前記第２リブ部と同一であり、
前記内壁に直交する高さ方向に沿った高さが、前記第２リブ部に比べて高い、請求項１に記載のレジスタ。
【請求項４】
前記第１リブ部及び前記第２リブ部は、
前記回動軸と平行な方向に交互に配置される、請求項２又は請求項３に記載のレジスタ。
【請求項５】
前記複数のリブ部は、
前記通風方向において、前記複数の突出部の間に設けられた隙間と対向する位置に配置される、請求項１乃至請求項４の何れか１項に記載のレジスタ。
【請求項６】
前記複数のリブ部は、
前記通風方向に沿って延び、前記通風方向における上流側の角部をＲ形状で形成される、請求項１乃至請求項５の何れか１項に記載のレジスタ。
【請求項７】
前記下流側外周部と前記複数のリブ部とが対向する位置まで前記ダンパを回動させた場合に、前記下流側外周部に設けられた前記軟質シール部材の先端部と前記複数のリブ部とが近接して配置される、請求項１乃至請求項６の何れか１項に記載のレジスタ。
【請求項８】
前記複数のリブ部は、
第１リブ部と、
前記第１リブ部を間に挟んで配置される一対の第２リブ部と、
前記第１リブ部及び前記一対の第２リブ部の３つを間に挟んで配置される一対の第３リブ部と、
を含み、
前記第２リブ部の前記通風方向に沿った長さは、前記第１リブ部に比べて短く、
前記第３リブ部の前記通風方向に沿った長さは、前記第２リブ部に比べて短い、請求項１に記載のレジスタ。
【発明の詳細な説明】
【技術分野】
【０００１】
本開示は、リテーナの通風路にダンパを有するレジスタに関するものである。
【背景技術】
【０００２】
従来、自動車等の車両のインスツルメントパネルには、レジスタが配設されている。レジスタは、空気吹出口から空調空気を車両室内に吹き出す。レジスタのリテーナには、空調空気を送風する通風路が形成されている。特許文献１に記載されたリテーナの内部には、空調空気をコントロールするダンパが設けられている。特許文献１に記載されたダンパは、リテーナの左右の側壁に軸支されたプレート部と、プレート部の周囲に設けられたダンパシールと、を有している。ダンパは、ダンパ開閉機構によりリテーナの内部で回動させられ、空調空気の吹き出し及び吹き出しの停止を行う。
【０００３】
具体的には、空調空気の吹き出しを停止する場合、ダンパを回動させ、ダンパシールをリテーナの上側内壁及び下側内壁に弾性密着させる。これにより、リテーナ内部の通風路を、ダンパによって閉塞できる。一方、空調空気の吹き出しを許容する場合、ダンパを回動させ、ダンパシールと、リテーナの上側内壁及び下側内壁との間に隙間を形成する。これにより、形成された隙間を通じて空調空気が空気吹出口から車両室内へ吹き出される。
【０００４】
この種のダンパを有するレジスタでは、ダンパとリテーナの内壁との間に僅かな隙間が形成されると、形成された隙間を空調空気が通過する際に、異音（風切り音など）が発生する虞がある。特許文献１のダンパには、外周に取り付けられたダンパシールに凹凸形状を有している。凹凸形状を設けたことで、ダンパとリテーナの内壁との間を通過する空調空気の流れによって渦流を発生させ、異音の抑制を図っている。また、特許文献２に開示されるレジスタでは、リテーナの上側内壁に突部を有している。突部は、ダンパの下流端と平行な方向に延びる直方体形状をなしている。突部は、ダンパとリテーナの内壁との間の隙間を通過する空調空気の流れを妨げ、異音を抑制する。
【先行技術文献】
【特許文献】
【０００５】
【特許文献１】実用新案登録公報第２５７０８５５号（段落０００６）
【特許文献２】特開平３−２００４１８号公報
【発明の概要】
【発明が解決しようとする課題】
【０００６】
しかしながら、この種のダンパを有するレジスタでは、ダンパの外周形状やリテーナの内壁の形状に応じて異音が発生する可能性がある。このため、異音のさらなる抑制のため、改善の余地があった。
【０００７】
本開示は、上述した問題点を解消するためになされたものであり、ダンパとリテーナとの間の隙間を通過する空気に起因した異音をより確実に抑制できるレジスタを提供する。
【課題を解決するための手段】
【０００８】
本願は、筒状をなし通風方向に空気を流す通風路を有するリテーナと、前記リテーナ内に設けられ、前記リテーナに回動可能に支持され、回動にともなって前記通風路を開閉するダンパと、を備え、前記ダンパは、平板状に形成されたプレート部材と、回動軸を中心に前記プレート部材を前記リテーナに対して回動可能に支持する軸部と、前記プレート部材の外周部に設けられた軟質シール部材と、を有し、前記リテーナは、前記ダンパを閉じた状態において、前記通風方向における前記プレート部材の下流側の外周部である下流側外周部に設けられた前記軟質シール部材と弾性接触する内壁を有し、前記内壁には、前記ダンパを閉じた状態において前記下流側外周部の位置に比べて下流側に位置する複数のリブ部が形成され、前記複数のリブ部は、前記回動軸と平行な方向に並んで配置され、隣り合うリブ部が異なる形状で形成され、前記軟質シール部材は、前記下流側外周部であって、且つ前記通風方向に沿って前記ダンパを配置した場合に前記複数のリブ部と対向する側の面に複数の突出部を有する、レジスタを開示する。
【発明の効果】
【０００９】
本願のレジスタによれば、リブ部と突出部とによって、ダンパとリテーナとの間の隙間を通過する空気に起因した異音をより確実に抑制できる。
【図面の簡単な説明】
【００１０】
【図１】第１実施形態に係るレジスタの正面図である。
【図２】レジスタを右前方から見た斜視図である。
【図３】レジスタの右側面図である。
【図４】レジスタの左側面図である。
【図５】図１に示すＡ−Ａ線で切断した断面を示す断面図である。
【図６】図１に示すＢ−Ｂ線で切断した断面を示す断面図である。
【図７】レジスタの背面図である。
【図８】レジスタを左後方から見た斜視図である。
【図９】リテーナを右後方且つ下方から見た斜視図である。
【図１０】リテーナを右前方且つ下方から見た斜視図である。
【図１１】ダンパの上面図である。
【図１２】図１１に示すＣ−Ｃ線で切断した断面を示す断面図である。
【図１３】ニュートラル状態におけるダンパの背面図である。
【図１４】ニュートラル状態におけるダンパの正面図である。
【図１５】ニュートラル状態におけるダンパの右側面図である。
【図１６】ニュートラル状態におけるダンパの左側面図である。
【図１７】ニュートラル状態におけるダンパを、左上方から見た斜視図である。
【図１８】図１７における下流側外周部（上面）の中央部分を拡大した拡大図である。
【図１９】ニュートラル状態におけるダンパを、左下方から見た斜視図である。
【図２０】図１９における下流側外周部（下面）の中央部分を拡大した拡大図である。
【図２１】図１１に示すＤ−Ｄ線（突出部がない位置）で切断した断面を示す断面図である。
【図２２】図１１に示すＥ−Ｅ線（突出部がある位置）で切断した断面を示す断面図である。
【図２３】図２２に示す拡大領域１０１（下流側外周部６７）を拡大した拡大図である。
【図２４】図２２に示す拡大領域１０２（上流側外周部６５）を拡大した拡大図である。
【図２５】リテーナの正面図である。
【図２６】リテーナの上面図であって、リテーナ内を透過的に示す図である。
【図２７】図２６に示すＦ−Ｆ線で切断した断面を示す断面図である。
【図２８】図２７に示す拡大領域１０３を拡大した拡大図である。
【図２９】図７に示すＧ−Ｇ線で切断した断面を示す断面図であって、ダンパを図７に示す位置からリブ部に近接する位置まで回動させ、ダンパを透過的に示す図である。
【図３０】図２９に示す拡大領域１０４を拡大した拡大図である。
【図３１】図６に示すＨ−Ｈ線で切断した断面を示す断面図であり、ダンパをニュートラル状態とし、通風路を開いた状態を示す図である。
【図３２】図３１のダンパを回動させ、通風路を閉じた状態を示す図である。
【図３３】図２９に示すＪ−Ｊ線（上側突出部８３の位置）で切断した断面を示す断面図である。
【図３４】図２９に示すＫ−Ｋ線（第２リブ部１１１Ｂの位置）で切断した断面を示す断面図である。
【図３５】図２９に示すＬ−Ｌ線（第１リブ部１１１Ａの位置）で切断した断面を示す断面図である。
【図３６】図３５に示す拡大領域１０６を拡大した拡大図である。
【図３７】第２実施形態のリブ部の拡大図である。
【図３８】第２実施形態のリブ部と下流側外周部の拡大図である。
【図３９】第３実施形態のリブ部と下流側外周部の拡大図である。
【図４０】第４実施形態のリブ部と下流側外周部の拡大図である。
【図４１】第５実施形態のリブ部と下流側外周部の拡大図である。
【図４２】第６実施形態のリブ部と下流側外周部の拡大図である。
【発明を実施するための形態】
【００１１】
（１．第１実施形態）
以下、本願のレジスタを、自動車等の車室前方に配置されるインスツルメントパネルに配設され、空調装置で調節された空調空気を車室内に吹き出すレジスタ１０に具体化した第１実施形態について、図面を参照しつつ説明する。尚、以下の説明では、図１に示すように、当該レジスタ１０における送風方向の下流側（即ち、車室側）を前方とし、送風方向の上流側（即ち、空調装置側）を後方として説明する。また、以下の説明では、当該レジスタ１０の前方においてレジスタ１０と正対した使用者の視点を用いて、上下方向及び左右方向を定義し説明する。
【００１２】
（２．レジスタの構成）
本実施形態のレジスタ１０は、空調装置で調節された空調空気を車室内に吹き出す。図１〜図６に示すように、レジスタ１０は、リテーナ１１と、ベゼル１３と、前フィン１５と、後フィン１７と、ダンパ１９等を備えている。リテーナ１１は、前後方向に延びる筒状をなしている。リテーナ１１の内部には、通風路２１が形成されている。リテーナ１１の後端部は、通風路２１を介して空調装置（図示省略）に接続されている。ベゼル１３には、左右方向に長い細長の空気吹出口２３が形成されている。リテーナ１１は、ベゼル１３の空気吹出口２３に連通する筒状をなし、空気吹出口２３に向かう方向である通風方向２２へ空調空気を送風する。通風路２１（リテーナ１１）は、通風方向２２に直交する平面で切断した断面形状が、左右方向に長い略長方形状をなしている。リテーナ１１は、前後方向に対して所定の角度をなす方向（本実施形態では右斜め後方）へ屈曲した筒状をなしている（図６参照）。これにより、通風路２１内を通風方向２２へ流れる空調空気を、屈曲したリテーナ１１の内壁に当て、加速させることが可能となる。
【００１３】
ベゼル１３は、リテーナ１１の前面に配設される部材である。ベゼル１３の空気吹出口２３は、左右方向に長く、上下方向に短い細長の形状をなし、右側部分において上下方向の幅が狭くなっている（図１参照）。前フィン１５は、ベゼル１３の空気吹出口２３内に配置されている。前フィン１５は、環状フィン部２５と、環状フィン部２５内に設けられたガイドフィン２７とを有している。環状フィン部２５は、空気吹出口２３の内周に沿うように湾曲した環状をなしている。前フィン１５は、フィン軸２９によって、ベゼル１３及びリテーナ１１に対して回動可能に取り付けられている。前フィン１５は、ガイドフィン２７に取り付けられた操作ノブ３１を上下方向に操作することで、上下方向に向かって回動し風向を変更される。
【００１４】
前フィン１５の上流側には、複数（本実施形態では、５本）の後フィン１７が配置されている。複数の後フィン１７の各々は、上下方向に延び、上下方向及び前後方向に沿った平面を有する略板状をなしている。複数の後フィン１７は、フィン軸３３（図５参照）によって、ベゼル１３及びリテーナ１１に対して回動可能となっている。左右方向の中央の後フィン１７は、操作ノブ３１と駆動連結されている。中央の後フィン１７は、操作ノブ３１の左右方向へのスライド移動に応じて左右方向へ回動する。また、複数の後フィン１７は、互いに連結されており、中央の後フィン１７に連動して左右方向へ回動し、風向を変更される。なお、前フィン１５及び後フィン１７の形状、構造は一例である。例えば、前フィン１５は、環状フィン部２５を備えず、全て左右方向に沿った水平フィンでも良い。また、リテーナ１１は、前フィン１５又は後フィン１７のどちらか一方のみを備えても良い。
【００１５】
（３．ダンパ１９を操作する構成）
図７〜図１０に示すように、リテーナ１１は、左右方向に長い略矩形筒状に形成されており、概して４つの側壁で囲まれている。以下の説明では、リテーナ１１の左側の側壁を左側壁４１と、右側の側壁を右側壁４２と、上側の側壁を上側壁４３と、下側の側壁を下側壁４４と称して説明する。通風路２１は、この４つの側壁によって囲まれている。左側壁４１には、断面円形の左側軸穴４１Ａが形成されている。右側壁４２には、左側軸穴４１Ａに比べて小さい断面円形の右側軸穴４２Ａが形成されている。左側軸穴４１Ａ及び右側軸穴４２Ａは、通風路２１を間に挟んで左右方向で対向して配置されており、ダンパ１９を回動可能に支持している。
【００１６】
図４及び図８に示すように、リテーナ１１の左側部分には、開閉操作部４７が配設されている。開閉操作部４７は、ダンパ１９の操作に用いられるものであり、ノブ部材４９と、リンク部材５１と、軸側連結部材５３とを有している。ノブ部材４９は、リテーナ１１の左側壁４１の前端部に形成された軸部５５によって回動可能に支持されている。ノブ部材４９は、円弧状の操作ノブ部４９Ａと、第１連結部４９Ｂとを有している。第１連結部４９Ｂは、略円板形状のノブ部材４９における操作ノブ部４９Ａとは反対側の部分に形成され、リンク部材５１の前端が連結されている。
【００１７】
軸側連結部材５３は、左側壁４１の左側軸穴４１Ａを介してダンパ１９の左側軸部６１に取り付けられており、左側軸穴４１Ａを中心に回動可能となっている（図６参照）。軸側連結部材５３には、リンク部材５１の後端が連結されている。また、ダンパ１９は、右側軸部６２を右側軸穴４２Ａに挿入し、左側軸部６１及び右側軸部６２で軸支され回動可能となっている。開閉操作部４７は、ノブ部材４９の操作ノブ部４９Ａを回動させる操作に応じて、リンク部材５１により駆動力を軸側連結部材５３へ伝達し、左側軸穴４１Ａを中心に軸側連結部材５３を回動させる。ダンパ１９は、軸側連結部材５３の回動にともなって、通風路２１内で回動し、通風路２１を開閉する。
【００１８】
（４．ダンパの構成）
次に、ダンパ１９の構成について説明する。尚、以下の説明においては、図１や図５に示すようなダンパ１９の上流側外周部６５（図１７参照）と、下流側外周部６７（図１７参照）との上下方向の高さを同一にした状態をニュートラル状態と称する。また、ニュートラル状態におけるダンパ１９の上側の面を上面６９（図１７参照）と、下側の面を下面７１（図１９参照）と称して説明する。また、以下のダンパ１９の説明では、このニュートラル状態の位置を基準として説明する。上記したように、リテーナ１１は、前後方向に対して所定の角度をなす方向（本実施形態では右斜め後方）へ屈曲した筒状をなしている（図６参照）。また、リテーナ１１に支持されたダンパ１９も、前後方向に対して所定の角度をなす方向に傾いている。このため、以下のダンパ１９の説明では、図１１、図１７、図１９等に示すように、ニュートラル状態におけるダンパ１９に対する通風方向２２（上流及び下流）を基準とし、通風方向２２に直交し且つダンパ１９の平面に平行な方向を左右方向、通風方向２２及び左右方向に直交する方向（上面６９や下面７１に直交する方向）を上下方向と称して説明する。
【００１９】
図１１〜図１６に示すように、ダンパ１９は、プレート部材７３と、左側軸部６１と、右側軸部６２と、軟質シール部材７５と、を有する。ダンパ１９は、例えば、リテーナ１１の通風路２１の形状に合わせた形状となっている。プレート部材７３は、左右方向に長い略長方形の板状をなし、通風路２１内において回動可能に設けられている。軟質シール部材７５は、プレート部材７３の外周に形成され、通風路２１を閉じる際にリテーナ１１の内周壁に対して弾性接触する。
【００２０】
ダンパ１９は、例えば、一次成形と、二次成形の２つの工程を有する２色成形によって形成されている。一次成形では、例えば、タルク入りポリプロピレン等の硬質材料によってプレート部材７３を形成する。次に、一次成形の後の二次成形では、一次成形で形成したプレート部材７３の外周部分に対してオレフィン系エラストマーなどの軟質材料によって軟質シール部材７５を形成する。このため、ダンパ１９は、硬質のプレート部材７３の外周を軟質の軟質シール部材７５で覆って構成されている。換言すれば、軟質シール部材７５は、硬質材料で一次成形したプレート部材７３に対して軟質材料で二次成形する２色成形により形成されている。この構成では、プレート部材７３に軟質シール部材７５を手作業で組み付ける必要がなくなり、取り扱いも容易となる。なお、上記したダンパ１９の材料や製造方法は一例である。例えば、ダンパ１９を、シリコン入りのウレタンフォームで形成しても良い。
【００２１】
左側軸部６１は、ダンパ１９の外周部分のうち、左側の部分である左側外周部７７に形成されている。左側軸部６１は、左側外周部７７における通風方向２２の中央に形成され、左右方向に長い略円柱形状をなしている。左側軸部６１には、開閉操作部４７の軸側連結部材５３（図４参照）を取り付けるための取付孔６１Ａが形成されている。取付孔６１Ａは、左側軸部６１の左側（外側）から右側に向かって凹設されている。軸側連結部材５３は、左側軸穴４１Ａ（図６参照）を介して取付孔６１Ａに挿入される。これにより、左側軸部６１は、左側軸穴４１Ａ（リテーナ１１）によって回動可能に支持される。
【００２２】
右側軸部６２は、ダンパ１９の外周部分のうち、右側の部分である右側外周部７９に形成されている。右側軸部６２は、右側外周部７９における通風方向２２の中央に形成され、左右方向に長い略円柱形状をなしている。右側軸部６２の右側（外側）は、軸径が小さく（細く）なっており、右側壁４２の右側軸穴４２Ａ（図６参照）に挿入される。これにより、ダンパ１９は、左側軸部６１及び右側軸部６２によってリテーナ１１に対して軸支され回動可能となっている。
【００２３】
ダンパ１９は、左側軸部６１及び右側軸部６２を除く外周部分に複数のアンカー８１を有している。複数のアンカー８１は、プレート部材７３の外周に沿って、一定の間隔をもって形成されている。このアンカー８１は、例えば、一次成形でプレート部材７３に形成した穴に対し、二次成形において軟質シール部材７５を形成する軟質樹脂（オレフィン系エラストマー等）を注入することで形成される。これにより、プレート部材７３と軟質シール部材７５とは、各アンカー８１により互いに強固に固定される。その結果、プレート部材７３から軟質シール部材７５が外れてしまうことをより確実に抑制できる。アンカー８１は、プレート部材７３の上面６９側及び下面７１側の両方に形成され、軟質シール部材７５内に配置され外部から見えない位置に形成されている。なお、図１１及び図１７等は、プレート部材７３の内部に形成されたアンカー８１を透過的に図示している。また、図１１及び図１７等には、２色成形時に樹脂材料を注入するゲートによって形成されるゲート残部８２が図示されている。
【００２４】
軟質シール部材７５は、プレート部材７３の外周を覆う略長方形の枠状に形成されている。軟質シール部材７５は、左側外周部７７の中央部において、左側軸部６１の外周を覆うように円弧状に湾曲して形成されている。また、軟質シール部材７５は、右側外周部７９の中央部において、右側軸部６２の外周を覆うように円弧状に形成されている。軟質シール部材７５は、左側軸部６１及び右側軸部６２の上面及び下面の一部を覆っている。
【００２５】
（５．突出部の構成）
次に、軟質シール部材７５の下流側外周部６７及び上流側外周部６５の各々に形成された突出部について説明する。図１７〜図２４に示すように、軟質シール部材７５の下流側外周部６７には、上面６９側に上側突出部８３が形成され、下面７１に下側突出部８４が形成されている（図２３参照）。また、軟質シール部材７５の上流側外周部６５には、上面６９側に上側突出部８５が形成され、下面７１に下側突出部８６が形成されている（図２４参照）。上流側外周部６５の上側突出部８５及び下側突出部８６は、下流側外周部６７の上側突出部８３と同様の形状となっている。このため、以下の説明では、下流側外周部６７の上側突出部８３及び下側突出部８４について主に説明し、上流側外周部６５の上側突出部８５及び下側突出部８６についての説明を適宜省略する。
【００２６】
図１７及び図１８に示すように、上側突出部８３は、下流側外周部６７の軟質シール部材７５のうち、上面６９且つ左右方向に沿った部分に形成されている。図２３は、図２２の拡大領域１０１を拡大した拡大図である。また、図２４は、図２２の拡大領域１０２を拡大した拡大図である。図２３に示すように、軟質シール部材７５の下流側の先端部である下流側先端部９１は、下流側に向かって突出した形状をなしている。下流側先端部９１は、上流側から下流側の先端に向かうに従って徐々に薄くなる先細り形状となっている。下流側先端部９１の上面６９側と下面７１側のそれぞれには、傾斜面９１Ａが形成されている。傾斜面９１Ａは、下流から上流に向かうに従って上下方向の外側（上方又は下方）へ傾斜している。ダンパ１９によって通風路２１を閉じた場合に、下流側先端部９１は、リテーナ１１の上側壁４３に対して内側から弾性接触する（図３２参照）。上側突出部８３は、下流側外周部６７のうち、上側壁４３と接触する部分に応じた位置に形成されている。また、下面７１側に形成された複数の下側突出部８４の各々は、上下方向、即ち、ダンパ１９の厚さ方向において、複数の上側突出部８３の各々と対向する位置に形成されている（図１８参照）。
【００２７】
同様に、上流側の上側突出部８５は、上流側外周部６５の軟質シール部材７５のうち、上面６９且つ左右方向に沿った部分に形成されている。図２４に示すように、軟質シール部材７５の上流側先端部９２は、下流側先端部９１と同様に、下流側へ突出した先細り形状をなしている。上流側先端部９２の上面６９側と下面７１側のそれぞれには、傾斜面９２Ａが形成されている。傾斜面９２Ａは、上流から下流に向かうに従って上下方向の外側（上方又は下方）へ傾斜している。ダンパ１９によって通風路２１を閉じた場合に、上流側先端部９２は、リテーナ１１の下側壁４４に対して内側から弾性接触する（図３２参照）。上側突出部８５は、上流側外周部６５のうち、下側壁４４と接触する部分に応じた位置に形成されている。また、下面７１側に形成された複数の下側突出部８６の各々は、上下方向において、複数の上側突出部８５の各々と対向する位置に形成されている。また、下側突出部８６は、上側突出部８５の位置に比べてダンパ１９の内側（図２４の下側）にずれた位置に形成されている。
【００２８】
図１７及び図１８に示すように、上側突出部８３は、下流側外周部６７の外周、且つ左右方向に沿うように所定の間隔ごとに形成されている。上側突出部８３の間隔は、例えば、数ｍｍ〜０．数ｍｍ程度である。上側突出部８３は、上面６９に対して垂直な方向に向かって（上方に向かって）突出している。通風方向２２及び上下方向に沿った平面で上側突出部８３を切断した形状は、上方に向かって突出する円弧状をなしている。また、上側突出部８３の突出した頂点の位置は、上流側へとずれた位置となっている。このため、上側突出部８３の下流側の傾斜面は、上流側の傾斜面に比べて傾斜が緩くなっている。換言すれば、上側突出部８３は、ダンパ１９の外側の傾斜面を緩やかとし、内側の傾斜面が急になっている。また、上流側の上側突出部８５、及び下側突出部８６は、下流側の上側突出部８３と同様の形状となっている。なお、上側突出部８３は、外側の傾斜面を急にし、内側の傾斜面を緩やかにする構成でも良い。また、上側突出部８５及び下側突出部８６は、上側突出部８３と異なる形状でも良い。
【００２９】
また、図１９、図２０、図２３に示すように、下流側の下側突出部８４は、上側突出部８３に比べて突出量を少なくして形成されている。下側突出部８４は、例えば、ダンパ１９を平面視した場合に、略正方形状をなしている。なお、図１７に示すように、上面６９の外周部分において、上側突出部８３，８５を形成した部分以外の部分（角部、左側外周部７７、右側外周部７９）には、上側突出部８３，８５に比べて少ない突出量の突出部８８が形成されている。同様に、図１９に示すように、下面７１の外周部分において、下側突出部８４，８６を形成した部分以外の部分（角部、左側外周部７７、右側外周部７９）には、下側突出部８６に比べて少ない突出量の突出部８８が形成されている。この突出部８８は、例えば、下流側外周部６７の下面７１に設けられた下側突出部８４と同一形状となっている。
【００３０】
図１７及び図１８に示すように、隣り合う２つの上側突出部８３の間には、上側突出部８３によって挟まれた上側平面部９３が形成されている。左右方向における上側突出部８３の側面８３Ａは、上下方向及び通風方向２２に沿った平面をなしている。上側平面部９３は、２つの側面８３Ａによって左右方向の両側を挟まれ、通風方向２２に沿って形成されている。上側平面部９３の下流側端部は、下流側先端部９１の傾斜面９１Ａの上流側端部と接続されている。また、上側突出部８３の下流側端部と、傾斜面９１Ａの上流側端部との間には、上側平面部９３と平行な平面部８３Ｂが形成されている。
【００３１】
また、図１９及び図２０に示すように、隣り合う２つの下側突出部８４の間には、下側突出部８４によって挟まれた下側平面部９５が形成されている。下側突出部８４は、湾曲して膨らんだ形状をなしている。下側平面部９５は、２つの下側突出部８４の湾曲した外周部分によって左右方向の両側を挟まれ、通風方向２２に沿って形成されている。下側平面部９５の下流側端部は、下流側先端部９１の傾斜面９１Ａの上流側端部と接続されている。また、下側突出部８４の下流側端部は、傾斜面９１Ａの上流側端部に近接した位置に配置されている。
【００３２】
図２０及び図２３に示すように、下側突出部８４の上流側には、凹部９７が形成されている。凹部９７は、プレート部材７３の平面に対して直交する方向（図２３における上方）へ凹設されている。凹部９７は、下側突出部８４の上流側において、左右方向に沿って形成されている。下流側外周部６７における軟質シール部材７５の厚みは、凹部９７を形成した部分において薄くなっている。凹部９７を形成し軟質シール部材７５の厚みを薄くすることで、下流側外周部６７の軟質シール部材７５は、リテーナ１１の上側壁４３との弾性接触状態から元の状態に弾性復帰する際の弾性力を抑制される。即ち、ダンパ１９を閉じた状態から開いた状態にする際の軟質シール部材７５の弾性力を抑えることができる。これにより、軟質シール部材７５が弾性復帰時に発生させる異音の発生を抑制できる。
【００３３】
同様に、上流側外周部６５の下側突出部８６の下流側には、凹部９９が形成されている（図２４参照）。凹部９９は、左右方向に沿って形成されている。上流側外周部６５の軟質シール部材７５の厚みは、凹部９９を形成した部分において薄くなっている。これにより、上流側外周部６５の軟質シール部材７５は、リテーナ１１の下側壁４４との弾性接触状態から元の状態に弾性復帰する際の弾性力を抑制され、異音の発生が抑制される。
【００３４】
（６．リブ部の構成）
次に、リテーナ１１の上側壁４３の内壁４３Ａに設けられたリブ部１１１について、図２５〜図２８を参照して説明する。なお、図２８は、図２７に示す拡大領域１０３を拡大した拡大図である。図２５〜図２８に示すように、リテーナ１１の上側壁４３の内壁４３Ａには、複数のリブ部１１１が形成されている。複数のリブ部１１１の各々は、ニュートラル状態のダンパ１９を基準とした左右方向に沿って、即ち、ダンパ１９の回転軸と平行な方向に並んで配置されている。複数のダンパ１９の各々は、所定の隙間を間に設けて、間隔Ｗ１（図２８参照）ごと形成されている。間隔Ｗ１は、例えば、数ｍｍである。図１０及び図２５に示すように、リテーナ１１は、複数のリブ部１１１よりも下流側の位置において、通風路２１を広げるように外側へと広がっている。換言すれば、複数のリブ部１１１の各々は、リテーナ１１の通風路２１が広がる部分に近接した位置に形成されている。本実施形態のリテーナ１１は、例えば、複数のリブ部１１１よりも下流側の位置において、左側壁４１、上側壁４３、下側壁４４をそれぞれ外側に広げ通風路２１を拡張している。この通風路２１の拡張が始まる部分、即ち、略同一の内径で形成された部分と拡張された部分との境界は、例えば、リテーナ１１を成形する際の金型を合わす位置であるパーティングライン（ＰＬ）となっている。このため、複数のリブ部１１１は、ＰＬに近接した位置で、且つＰＬの上流側の位置に形成されている。
【００３５】
また、複数のリブ部１１１の各々は、通風方向２２に沿って延びる棒状、換言すれば、ニュートラル状態のダンパ１９の平面に平行で且つ回転軸と直交する方向に沿って延びる棒状をなしている。図２６に示すように、隣り合う２つのリブ部１１１は、通風方向２２に沿った長さが互いに異なっている。以下の説明では、隣り合う２つのリブ部１１１を区別して説明する場合、第１リブ部１１１Ａ、第２リブ部１１１Ｂと称して説明する。図２８に示すように、第１及び第２リブ部１１１Ａ，１１１Ｂは、左右方向に沿った幅Ｗ２が同一となっている。また、第１及び第２リブ部１１１Ａ，１１１Ｂは、内壁４３Ａに直交する高さ方向の高さＨが同一となっている。
【００３６】
図２９は、図７に示すＧ−Ｇ線で切断した断面図であて、ダンパ１９を図７に示す位置からリブ部１１１に近接する位置まで回動させている。従って、図２９のダンパ１９は、ニュートラル状態からリブ部１１１に近接する位置まで回動した状態となっている。また、図２９は、ダンパ１９を透過的に図示している。また、図３０は、図２９に示す拡大領域１０４を拡大した拡大図である。図２９及び図３０に示すように、複数のリブ部１１１の各々は、ダンパ１９の回転軸の位置よりも下流側の位置に形成されている。第１リブ部１１１Ａの通風方向２２に沿った長さＬ１は、第２リブ部１１１Ｂの通風方向２２に沿った長さＬ２に比べて長くなっている。換言すれば、複数のリブ部１１１は、長さの異なる第１及び第２リブ部１１１Ａ，１１１Ｂを交互に配置して構成されている。また、第１及び第２リブ部１１１Ａ，１１１Ｂは、ダンパ１９の回動軸と平行な方向に沿って交互に配置されている。また、複数のリブ部１１１は、ニュートラル状態のダンパ１９の平面と平行な関係となっている。
【００３７】
また、図１０に示すように、複数のリブ部１１１の各々は、下流側に平坦面１１３が形成されている。この平坦面１１３は、例えば、ＰＬにおける金型の分割面によって形成され、通風方向２２に直交する平面となっている。また、図２８及び図３０に示すように、複数のリブ部１１１の各々は、左右方向の角部１１５及び上流側の角部１１５をＲ形状に形成され、湾曲して形成されている。例えば、隣りの第２リブ部１１１Ｂと対向する位置にある角部１１５であって、通風方向２２に沿うように形成された第１リブ部１１１Ａの角部１１５は、上下方向に対して所定の角度で湾曲した形状で形成されている。また、リブ部１１１は、ダンパ１９と対向する上流側の角部１１５を、所定の角度で湾曲した形状で形成されている。なお、図３０は、湾曲した面を示す補助線が図示されている。
【００３８】
また、図３０に示すように、複数のリブ部１１１の各々は、複数の上側突出部８３の間に設けられた隙間Ｓ１と、通風方向２２において対向する位置に形成されている。より具体的には、上記したように、２つの上側突出部８３の間には、上側平面部９３が形成されている。換言すれば、２つの上側突出部８３は、上側平面部９３の幅だけ隙間Ｓ１を間に設けて並んでいる。例えば、図３０に示すダンパ１９の上側突出部８３とリテーナ１１のリブ部１１１との位置関係は、リブ部１１１の上流端と上側平面部９３とが通風方向２２で対向する位置関係となっている。換言すれば、リブ部１１１と上側突出部８３とは、左右方向（ダンパ１９の回動軸と平行な方向）において、互いにずれた位置に配置されている。
【００３９】
また、図３０に示す上側突出部８３とリブ部１１１の位置関係は、リブ部１１１の上流側且つ下方側の角部１１５とダンパ１９の下流側先端部９１とが通風方向２２で対向する近接した位置関係となっている（図３６参照）。図３０に示す下流側外周部６７と複数のリブ部１１１とが対向する位置までダンパ１９を回動させた場合、下流側外周部６７に設けられた下流側先端部９１と複数のリブ部１１１とが近接して配置されている。例えば、下側突出部８４は、第１リブ部１１１Ａの上流端と距離Ｗ３まで近づいた距離に配置される。この距離Ｗ３は、例えば、数ｍｍ〜０．数ｍｍである。
【００４０】
（７．通風路を開放した状態のレジスタにおける異音）
本実施形態のダンパ１９は、リテーナ１１内で回動することによって通風路２１を開閉し通風方向２２を送風される空調空気の送風量を変更する。図３１に示すように、ダンパ１９のニュートラル状態、即ち、通風路２１を最も開放した状態では、ダンパ１９は、通風方向２２に沿った状態となる。上流から流れきた空調空気は、ダンパ１９の上流側先端部９２に当たって、上側壁４３側と下側壁４４側とに分断され流れる。空調空気は、上流側先端部９２に当たり分断されることで、図３１に渦糸で示すような渦流１２１を発生させる。
【００４１】
ここで、例えば、一定の風量によって同じような態様の小さい渦流１２１が発生すると、風切り音などの異音が発生する可能性が高くなる。また、風切り音に起因して、リテーナ１１内で反射した反射音や共鳴した音などの異音が発生する場合がある。これに対し、小さい渦流１２１が一定の態様で発生しないように渦流１２１の発生状態を乱してやることで、異音（風切り音や反射音など）が抑制できると考えられる。本実施形態のダンパ１９では、上流側外周部６５に上側突出部８５及び下側突出部８６が設けられている。上側突出部８５は、上方に突出し、所定の間隔で並んでいる。同様に、下側突出部８６は、下方に突出し、所定の間隔で並んでいる。上流から流れてきた空調空気の一部は、上側突出部８５や下側突出部８６に当たって流れを変更される。また、上流から流れてきた空調空気の一部は、上側突出部８５や下側突出部８６の間を通るように細かく分断され、上側突出部８５等の側面に沿った方向に流される。これにより、上流側外周部６５の周辺に発生する渦流１２１は、例えば、より大きな渦流となり、発生態様を乱されることとなる。その結果、ダンパ１９をニュートラル状態やダンパ１９を一定量だけ回動させた状態など、通風路２１を開放した状態で発生し得る異音を抑制できる。実際に、出願人がシミュレーション等した結果においても、上側突出部８５及び下側突出部８６がないダンパ１９に比べて、上側突出部８５及び下側突出部８６を形成したダンパ１９における異音の騒音レベルが低減される結果となった。
【００４２】
（８．通風路を閉じる際のダンパプレートの動作）
次に、通風路２１を閉じる際のダンパ１９の動作について説明する。通風路２１を閉じる場合、開閉操作部４７のノブ部材４９（図４参照）が回動操作されるのに応じてダンパ１９が図３２に示す位置まで回動する。例えば、上流側外周部６５は、ダンパ１９の回動にともなって、リテーナ１１の下側壁４４に近接する方向へ回動する。上流側外周部６５は、例えば、上流側先端部９２の先端や下面７１側の傾斜面９２Ａ（図２４参照）を、下側壁４４に弾性接触させる。また、下流側外周部６７は、上側壁４３に近接する方向へ回動する。下流側外周部６７は、例えば、下流側先端部９１の先端や上面６９側の傾斜面９１Ａ（図２３参照）を、上側壁４３に弾性接触させる。これにより、通風路２１は、ダンパ１９によって閉じられる。
【００４３】
本実施形態のダンパ１９は、上流側外周部６５に凹部９９を備え、下流側外周部６７に凹部９７を備えている（図２３、図２４参照）。凹部９９は、ダンパ１９の下面７１側に形成されている。このため、上流側外周部６５の軟質シール部材７５は、下側壁４４に接触する際に、凹部９９の開口を広げる方向へ弾性変形する。また、本実施形態の下流側の凹部９７は、上流側の凹部９９と同様に、下面７１側に形成されている。このため、下流側外周部６７の軟質シール部材７５は、上側壁４３と接触する際に、凹部９７の開口を閉じる方向へ弾性変形する。これにより、弾性接触状態から元の状態に弾性復帰する際の弾性力を抑制し、異音の発生を抑制できる。また、本実施形態のダンパ１９は、下流側先端部９１の先端、傾斜面９１Ａ、上流側先端部９２の先端、傾斜面９２Ａのみで、リテーナ１１と弾性接触する。これにより、リテーナ１１と軟質シール部材７５の接触面積を少なくでき、軟質シール部材７５がリテーナ１１に弾性接触する際の異音を低減できる。なお、ダンパ１９は、２つの凹部９７，９９を同一面側に備えなくとも良い。例えば、ダンパ１９は、上面６９側に凹部９７を備え、下面側に凹部９９を備えても良い。また、ダンパ１９は、凹部９７，９９を備えなくとも良い。また、ダンパ１９は、例えば、下流側外周部６７の上面６９と下面７１の両方に凹部９７を備えても良い。
【００４４】
（９．ダンパを少しだけ開いた際の異音） 
次に、ダンパ１９を少しだけ開いた状態の異音について説明する。例えば、ユーザが、ノブ部材４９（図４参照）を回動させダンパ１９を閉じたつもりでも、実際には、ダンパ１９が、図３２に示す閉塞位置まで回動していない場合がある。あるいは、ユーザが、空調空気を少しだけ送風したいために、ダンパ１９を少しだけ開ける場合がある。このような場合に、ダンパ１９と、リテーナ１１との間に、空調空気が流れることで異音が発生する虞がある。
【００４５】
詳述すると、図３３〜図３６は、図３２に示す閉塞位置からダンパ１９を少しだけ開けた状態を示している。本実施形態の上側突出部８３とリブ部１１１とは、上記したように左右方向においてずれた位置に配置されている（図３０参照）。このため図３３の断面図では上側突出部８３や下側突出部８４が図示されている一方、図３４や図３５に示すリブ部１１１が図示されていない断面図となっている。なお、図３６では、説明の便宜上、下流側先端部９１と角部１１５との隙間を距離Ｗ３として記載している。この下流側先端部９１と角部１１５との距離Ｗ３は、図３０に示す下側突出部８４と第１リブ部１１１Ａとの距離Ｗ３と略同一となっている。また、図３６は、図３５に示す拡大領域１０６を拡大した拡大図である。また、ダンパ１９は、上側突出部８３とリブ部１１１とを、左右方向で同じ位置（通風方向２２で対向する位置）に配置した構成でも良い。
【００４６】
図３３〜図３６に示す状態では、ダンパ１９は、図３２に示す位置から時計回り方向へ少しだけ回動している。この状態では、上流から流れてきた空調空気の一部は、ダンパ１９の下流側先端部９１とリテーナ１１の内壁４３Ａとの間の隙間Ｓ２（図３６参照）を通って下流へと流れる。上流から流れてきた空調空気の一部は、図３３〜図３５の矢印１２３で示すように、リテーナ１１の内壁４３Ａに沿うように流れる。また、上流から流れてきた空調空気の一部は、矢印１２５で示すように、ダンパ１９の上面６９に沿うように流れる。即ち、上流から流れてきた空調空気の一部は、下流側先端部９１と内壁４３Ａとの隙間Ｓ２を通るように合流し、風速を高めると考えられる。このため、上流側先端部９２と下側壁４４との間の隙間を通る空調空気に起因した異音に比べて、下流側先端部９１と内壁４３Ａとの間の隙間Ｓ２を通る空調空気に起因した異音が大きくなると考えられる。従って、下流側先端部９１と上側壁４３との隙間Ｓ２に起因した異音の抑制が重要となる。
【００４７】
下流側先端部９１と内壁４３Ａとの間の隙間Ｓ２を通る空調空気は、図３３〜図３５に渦糸で示すような渦流１２７を発生させる。従って、この渦流１２７の発生態様を乱すことで、異音を抑制できると考えられる。本実施形態のダンパ１９には、下流側外周部６７の上面６９に複数の上側突出部８３が形成されている。これにより、例えば、矢印１２５へ流れる空調空気などの隙間Ｓ２に向かう空調空気の一部は、上側突出部８３に当たって流れを変更される。また、隙間Ｓ２に向かう空調空気の一部は、上側突出部８３の間を通るように細かく分断され、上側突出部８３の側面８３Ａに沿った方向に流される。これにより、より大きな渦流１２７を発生させ、渦流１２７の発生態様を乱すことが可能となる。
【００４８】
さらに、本実施形態のリテーナ１１は、内壁４３Ａに複数のリブ部１１１を備える。図３２〜図３６に示すように、ダンパ１９をリテーナ１１の上側壁４３及び下側壁４４に接触させて閉じた状態において、複数のリブ部１１１は、下流側外周部６７の位置に比べて下流側に位置している。複数のリブ部１１１は、ダンパ１９の回動動作において、ダンパ１９と接触しない位置に配置されている。また、隣り合う第１及び第２リブ部１１１Ａ，１１１Ｂは、通風方向２２に沿った長さＬ１，Ｌ２が互いに異なっている（図３０参照）。従って、第１リブ部１１１Ａの上流側端部と第２リブ部１１１Ｂの上流側端部とは、通風方向２２において互いに異なる位置となっている。これにより、隙間Ｓ２を通過した空調空気は、通風方向２２において位置の異なるリブ部１１１の上流側端部に当たり、流れを妨げられる。より大きな渦流１２７を発生させ、渦流１２７の発生態様を乱すことが可能となる。その結果、隙間Ｓ２に起因した異音を抑制することが可能となる。実際に、出願人がシミュレーション等した結果においても、上側突出部８３及びリブ部１１１がないレジスタ１０に比べて、上側突出部８３及びリブ部１１１を形成したレジスタ１０における異音の騒音レベルが低減される結果となった。このようにして、本実施形態のリテーナ１１は、上側突出部８３とリブ部１１１とによって隙間Ｓ２を通る異音を抑制可能となっている。
【００４９】
また、図３３〜図３６は、隙間Ｓ２を形成する位置の一例として、下流側外周部６７と複数のリブ部１１１とが対向する位置にダンパ１９を回動させた状態を示している。上記したように、本実施形態のダンパ１９とリテーナ１１では、下流側外周部６７の下流側先端部９１と複数のリブ部１１１とが距離Ｗ３まで近接して配置される。このように、リブ部１１１を、ダンパ１９と接触しない位置で且つ出来るだけ近接する位置に配置することで、渦流１２７を大きく乱し、異音をより効果的に抑制することが可能となる。
【００５０】
因みに、上記実施形態の文言と、請求項の文言との関係は以下の通りである。
左側軸部６１及び右側軸部６２は、軸部の一例である。上面６９は、複数のリブ部１１１と対向する側の面の一例である。上側突出部８３は、突出部の一例である。下流側先端部９１は、先端部の一例である。
【００５１】
以上、上記した第１実施形態によれば、以下の効果を奏する。
（１）レジスタ１０は、筒状をなし通風方向２２に空気を流す通風路２１を有するリテーナ１１と、リテーナ１１内に設けられ、リテーナ１１に回動可能に支持され、回動にともなって通風路２１を開閉するダンパ１９と、を備える。ダンパ１９は、平板状に形成されたプレート部材７３と、回動軸を中心にプレート部材７３をリテーナ１１に対して回動可能に支持する軸部（左側軸部６１，右側軸部６２）と、プレート部材７３の外周部に設けられた軟質シール部材７５と、を有する。リテーナ１１は、ダンパ１９を閉じた状態において、通風方向２２におけるプレート部材７３の下流側の外周部である下流側外周部６７に設けられた軟質シール部材７５と弾性接触する内壁４３Ａを有する。内壁４３Ａには、ダンパ１９を閉じた状態において下流側外周部６７の位置に比べて下流側に位置する複数のリブ部１１１が形成される。複数のリブ部１１１は、回動軸と平行な方向（ニュートラル状態のダンパ１９を基準とした左右方向）に並んで配置され、隣り合うリブ部１１１が異なる形状で形成されている。軟質シール部材７５は、下流側外周部６７であって、且つ通風方向２２に沿ってダンパ１９を配置した場合に（ニュートラル状態で）複数のリブ部１１１と対向する側の上面６９に複数の上側突出部８３を有する。
【００５２】
これによれば、ダンパ１９は、リテーナ１１内において回動可能に支持され、回動にともなってリテーナ１１の通風路２１を開閉する。ダンパ１９は、平板状のプレート部材７３の外周部に軟質シール部材７５を有する。ダンパ１９を閉じた状態において、プレート部材７３の下流側外周部６７に設けられた軟質シール部材７５は、リテーナ１１の内壁４３Ａと弾性接触する。その内壁４３Ａには複数のリブ部１１１が形成されている。複数のリブ部１１１は、ダンパ１９を閉じた状態において下流側外周部６７の位置に比べて下流側に位置する。複数のリブ部１１１は、プレート部材７３の回動軸と平行な左右方向に並んで配置される。隣り合うリブ部１１１は異なる形状で形成される。これにより、ダンパの下流側外周部６７と、リテーナ１１の内壁４３Ａとの間に隙間Ｓ２が形成されその隙間Ｓ２を通って空調空気が流れた場合、隙間Ｓ２から流れ出た空調空気は、複数のリブ部１１１に当たり渦流１２７を発生させる。隣り合うリブ部１１１を異なる形状で形成することで、リブ部１１１を同一形状で形成した場合に比べてより大きな渦流１２７を発生せ、異音（風切り音や風切り音に共鳴した音など）の発生をより確実に抑制できる。
【００５３】
また、軟質シール部材７５は、下流側外周部６７であって、且つ複数のリブ部１１１と対向する側の上面６９に複数の上側突出部８３を有する。これにより、下流側外周部６７と内壁４３Ａとの間に形成された隙間Ｓ２へ流れ込む空調空気の一部は、複数の上側突出部８３の間や上側突出部８３の上方を通るように流れ、流れが乱される。より大きな渦流１２７を発生させることで、異音の発生をより確実に抑制できる。即ち、リブ部１１１と上側突出部８３とによってより効果的に異音を抑制できる。
【００５４】
（２）また、複数のリブ部１１１は、第１リブ部１１１Ａと、第１リブ部１１１Ａの隣りに配置される第２リブ部１１１Ｂと、を含む。第１リブ部１１１Ａは、内壁４３Ａに直交する高さ方向に沿った高さＨ（図２８参照）が、第２リブ部１１１Ｂと同一であり、通風方向２２に沿った長さＬ１が、第２リブ部１１１Ｂの長さＬ２に比べて長い（図３０参照）。これによれば、隣り合うリブ部１１１は、同一の高さＨで且つ異なる長さＬ１，Ｌ２で形成される。下流から流れてきた空調空気は、通風方向２２において異なる位置で流れを妨げられる。その結果、より大きな渦流１２７を発生させることで異音の発生をより確実に抑制できる。
【００５５】
（３）また、第１リブ部１１１Ａ及び第２リブ部１１１Ｂは、回動軸と平行な左右方向に交互に配置される。これによれば、形状の異なる第１リブ部１１１Ａ及び第２リブ部１１１Ｂを交互に配置することで、より大きな渦流１２７を発生させ異音の発生をより確実に抑制できる。
【００５６】
（４）また、複数のリブ部１１１は、通風方向２２において、複数の上側突出部８３の間に設けられた隙間Ｓ１と対向する位置に配置される（図３０参照）。これによれば、リブ部１１１と上側突出部８３とは、ダンパ１９の回動軸と平行な左右方向における位置を互いにずらして配置される。その結果、リブ部１１１と突出部８８との位置をずらすことで、より大きな渦流１２７を発生させ異音の発生をより確実に抑制できる。
【００５７】
（５）また、複数のリブ部１１１は、通風方向２２に沿って延び、通風方向２２における上流側の角部１１５をＲ形状で形成される。例えば、図３６の拡大図で示すように、第１リブ部１１１Ａの上流側の角部１１５は、湾曲した円弧状に形成される。これによれば、通風方向２２に流れる空気を、Ｒ形状に沿って流し渦流１２７を発生させることができる。
【００５８】
（６）また、下流側外周部６７と複数のリブ部１１１とが対向する位置までダンパ１９を回動させた場合に、下流側外周部６７に設けられた軟質シール部材７５の下流側先端部９１と複数のリブ部１１１とが近接して配置される（図３０、図３６の距離Ｗ３参照）。これによれば、ダンパ１９の下流側先端部９１を複数のリブ部１１１により近づけることで、下流側先端部９１と複数のリブ部１１１との間を通る空調空気によってより大きな渦流を発生させることができる。
【００５９】
（１０．第２実施形態）
次に、本開示の第２実施形態について、図３７及び図３８を参照して説明する。なお、以下の説明では、上記した第１実施形態と同様の構成については同一符号を付し、その説明を適宜省略する。上記第１実施形態のリブ部１１１は、内壁４３Ａに直交する高さ方向の高さＨが同一であった（図２８参照）。これに対し、図３７に示すように、第１リブ部１１１Ａと第２リブ部１１１Ｂとの高さＨを異なる高さとしても良い。例えば、第１リブ部１１１Ａの高さＨを、第２リブ部１１１Ｂの高さＨに比べて高くしても良い。
【００６０】
また、上記第１実施形態では、第１リブ部１１１Ａの通風方向２２に沿った長さＬ１を、第２リブ部１１１Ｂの長さＬ２に比べて長くした。これに対し、図３８に示すように、第２実施形態の第１リブ部１１１Ａの長さＬ１は、第２リブ部１１１Ｂの長さＬ２と同一となっている。従って、第２実施形態の第１及び第２リブ部１１１Ａ，１１１Ｂは、通風方向２２に沿った長さＬ１，Ｌ２が同一である一方、高さ方向の高さＨが互いに異なっている。
【００６１】
このような構成の第２実施形態のレジスタ１０においても、上記した第１実施形態と同様の効果を奏する。例えば、下流から流れてきた空調空気は、高さＨの異なる第１及び第２リブ部１１１Ａ，１１１Ｂによって、上下方向において異なる位置に流される。その結果、より大きな渦流１２７を発生させ、異音を抑制することが可能となる。
【００６２】
（１１．第３実施形態）
次に、本開示の第３実施形態について、図３９を参照して説明する。上記した第１及び第２実施形態では、複数のリブ部１１１は、形状の異なる２種類のリブ部１１１（第１及び第２リブ部１１１Ａ，１１１Ｂ）を有した。これに対し、第３実施形態の複数のリブ部１１１は、第１リブ部１１１Ａ、第２リブ部１１１Ｂに加え、第３リブ部１１１Ｃを備える。
【００６３】
図３９に示すように、複数のリブ部１１１は、第１リブ部１１１Ａと、第２リブ部１１１Ｂと、第３リブ部１１１Ｃとを有する。左右方向における第１リブ部１１１Ａの両側には、一対の第２リブ部１１１Ｂが形成されている。即ち、一対の第２リブ部１１１Ｂは、第１リブ部１１１Ａを間に挟んで配置されている。また、一対の第３リブ部１１１Ｃは、第１リブ部１１１Ａ及びその第１リブ部１１１Ａを挟む一対の第２リブ部１１１Ｂの３つを間に挟んで配置されている。複数のリブ部１１１は、第３リブ部１１１Ｃ、第２リブ部１１１Ｂ、第１リブ部１１１Ａ、第２リブ部１１１Ｂ、第３リブ部１１１Ｃ、第２リブ部１１１Ｂ、第１リブ部１１１Ａ、第３リブ部１１１Ｃ・・・の順番に配置されている。また、第２リブ部１１１Ｂの通風方向２２に沿った長さＬ２は、第１リブ部１１１Ａの長さＬ１に比べて短くなっている。また、第３リブ部１１１Ｃの通風方向２２に沿った長さＬ３は、第２リブ部１１１Ｂの長さＬ２に比べて短くなっている。
【００６４】
このような構成の第３実施形態のレジスタ１０においても、上記した第１実施形態と同様の効果を奏する。例えば、長さＬ１，Ｌ２，Ｌ３の異なる３種類のリブ部１１１（第１リブ部１１１Ａ、第２リブ部１１１Ｂ、第３リブ部１１１Ｃ）を並べて配置することで、隙間Ｓ２を通って下流から流れてきた空調空気は、通風方向２２において３つの異なる位置で流れを妨げられる。その結果、より大きな渦流１２７を発生させ、異音を抑制することができる。なお、第３実施形態の第１リブ部１１１Ａ、第２リブ部１１１Ｂ、第３リブ部１１１Ｃの高さＨ（図３７参照）は、同一でも良く、異なる高さＨでも良い。例えば、３種類のリブ部１１１が、互いに異なる高さＨでも良い。あるいは、第１リブ部１１１Ａと第２リブ部１１１Ｂのみが同一の高さＨでも良い。
【００６５】
（１２．第４実施形態）
また、上記した第１〜第３実施形態のリブ部１１１は、角部１１５をＲ形状で形成されたがこれに限らない。例えば、図４０に示すように、リブ部１１１の上流側の先端部１３１を、上流側に開口した形状としても良い。図４０に示すように、リブ部１１１の先端部１３１は、上下方向の一方から見た場合に、Ｖ字に開口した形状をなしている。先端部１３１は、左右方向の中央を頂点とし、下流から上流に向かうに従って左右方向に広がって開口している。先端部１３１は、鋭角に切り欠かれたＶ字の溝を形成されている。また、先端部１３１の上流端は、三角形状に尖っている。このような形状のリブ部１１１では、下流側先端部９１と上側壁４３との隙間Ｓ２を通ってきた空調空気を、Ｖ字の先端部１３１によって分断し、渦流１２７を乱し、異音を抑制することができる。なお、図４０に示す第４実施形態では、第１リブ部１１１Ａと、第２リブ部１１１Ｂとの両方を、Ｖ字の先端部１３１とした。これに対し、第１リブ部１１１Ａと第２リブ部１１１Ｂのどちらか一方のみを、Ｖ字の先端部１３１としても良い。
【００６６】
（１３．第５実施形態）
また、図４１の第５実施形態に示すように、リブ部１１１の先端部１３１を、凸形状としても良い。図４１に示すように、リブ部１１１の上流側の先端部１３１は、上流に向かって凸形状に突出している。先端部１３１は、左右方向の中央部を上流側に突出させている。このような形状のリブ部１１１では、隙間Ｓ２を通ってきた空調空気を、凸形状の先端部１３１によって分断し、渦流１２７を乱し、異音を抑制することができる。
【００６７】
（１４．第６実施形態）
また、図４２の第６実施形態に示すように、リブ部１１１の先端部１３１を、Ｗ字形状に切り欠いた形状としても良い。図４２に示すように、リブ部１１１の上流側の先端部１３１は、上下方向の一方から見た場合に、Ｗ字に切り欠かれた形状をなしている。先端部１３１は、左右方向の中央部を下流側に向かって鋭角に切り欠かれている。また、先端部１３１は、切り欠き部分の頂点を左右方向の両側から挟むように、鋭角の三角形状に尖った２つの鋭角部分を有する。２つの尖った鋭角部分は、上流側へ同一の長さだけ突出している。このような形状のリブ部１１１では、隙間Ｓ２を通ってきた空調空気を、Ｗ字形状の先端部１３１によって分断し、渦流１２７を乱し、異音を抑制することができる。
【００６８】
尚、本願は、上述した実施形態に限定されるものではなく、本発明の要旨を逸脱しない範囲内で種々の改良、変形が可能であることは勿論である。
例えば、上記した各実施形態のリブ部１１１の形状は、一例である。リブ部１１１は、四角柱や円柱形状でも良い。
また、レジスタ１０で調整する空気は、空調装置で調整された空調空気に限らない。例えば、レジスタ１０は、外部から導入した外気の風向を偏向しても良い。
また、上記した各実施形態における長さＬ１，Ｌ２，Ｌ３、先端部１３１の形状、高さＨを組み合わせたリブ部１１１を構成しても良い。
また、上記第１実施形態では、第１リブ部１１１Ａと第２リブ部１１１Ｂとを交互に配置したが、これに限らない。例えば、２つの第１リブ部１１１Ａを配置した後、１つの第２リブ部１１１Ｂを配置する組み合わせを繰り返し配置しても良い。
また、上記各実施形態では、リブ部１１１を、下流側先端部９１に近接する位置に配置したが、リブ部１１１と下流側先端部９１とをある程度離れた位置に配置しても良い。例えば、ダンパ１９の位置を、第１実施形態の位置に比べて上流側へ移動させても良い。
【符号の説明】
【００６９】
１０  レジスタ、１１  リテーナ、１９  ダンパ、２１  通風路、２２  通風方向、４３Ａ  内壁、６１  左側軸部（軸部）、６２  右側軸部（軸部）、６５  上流側外周部、６９  上面（面）、７３  プレート部材、７５  軟質シール部材、８３  上側突出部(突出部）、９１  下流側先端部（先端部）、１１１  リブ部、１１１Ａ  第１リブ部、１１１Ｂ  第２リブ部、Ｌ１  長さ、Ｌ２  長さ、Ｌ３  長さ、Ｓ１  隙間。
【図１】
2020006713.tif 000003
【図２】
2020006713.tif 000004
【図３】
2020006713.tif 000005
【図４】
2020006713.tif 000006
【図５】
2020006713.tif 000007
【図６】
2020006713.tif 000008
【図７】
2020006713.tif 000009
【図８】
2020006713.tif 000010
【図９】
2020006713.tif 000011
【図１０】
2020006713.tif 000012
【図１１】
2020006713.tif 000013
【図１２】
2020006713.tif 000014
【図１３】
2020006713.tif 000015
【図１４】
2020006713.tif 000016
【図１５】
2020006713.tif 000017
【図１６】
2020006713.tif 000018
【図１７】
2020006713.tif 000019
【図１８】
2020006713.tif 000020
【図１９】
2020006713.tif 000021
【図２０】
2020006713.tif 000022
【図２１】
2020006713.tif 000023
【図２２】
2020006713.tif 000024
【図２３】
2020006713.tif 000025
【図２４】
2020006713.tif 000026
【図２５】
2020006713.tif 000027
【図２６】
2020006713.tif 000028
【図２７】
2020006713.tif 000029
【図２８】
2020006713.tif 000030
【図２９】
2020006713.tif 000031
【図３０】
2020006713.tif 000032
【図３１】
2020006713.tif 000033
【図３２】
2020006713.tif 000034
【図３３】
2020006713.tif 000035
【図３４】
2020006713.tif 000036
【図３５】
2020006713.tif 000037
【図３６】
2020006713.tif 000038
【図３７】
2020006713.tif 000039
【図３８】
2020006713.tif 000040
【図３９】
2020006713.tif 000041
【図４０】
2020006713.tif 000042
【図４１】
2020006713.tif 000043
【図４２】
2020006713.tif 000044